【手続補正書】
【提出日】平成19年8月21日(2007.8.21)
【手続補正１】
【補正対象書類名】特許請求の範囲
【補正対象項目名】全文
【補正方法】変更
【補正の内容】
【特許請求の範囲】
【請求項１】
生体情報を記憶することが可能な外部接続機器をコンピュータに接続して、前記コンピュータの動作を制御するコンピュータの制御方法であって、
前記外部接続機器には、少なくとも前記コンピュータでの認証に用いられる複数のユーザの生体情報と、前記複数のユーザの各々について設定されたパスワードと、一のユーザに前記コンピュータに所定のアプリケーションプログラムを実行させるための条件として前記ユーザの認証結果又は複数のユーザについての認証結果の組合せを指定した認証条件が記憶されていて、
前記コンピュータが、前記コンピュータに格納されたアプリケーションプログラムの起動を受け付けるステップと、
前記コンピュータが、前記外部接続機器に記憶された複数のユーザの生体情報と、前記複数のユーザから読み取った生体情報の照合結果と、前記外部接続機器に記憶された複数のユーザの各々のパスワードと、前記複数のユーザの各々が入力したパスワードの照合結果を特定するステップと、
前記コンピュータが、前記外部接続機器に記憶された認証条件を読み出して、前記認証条件から前記アプリケーションプログラムについて設定された認証条件を特定するステップと、
前記コンピュータが、前記生体情報の照合結果と前記パスワードの照合結果が前記アプリケーションプログラムについて設定された認証条件に合致するかを判定するステップと、を有していて、
前記生体情報の照合結果と前記パスワードの照合結果が前記アプリケーションプログラムについて設定された認証条件に合致する場合には、前記コンピュータは、前記アプリケーションプログラムによる通常処理を実行し、
前記生体情報の照合結果と前記パスワードの照合結果の少なくとも一つが前記アプリケーションプログラムについて設定された認証条件に合致しない場合には、前記コンピュータは、前記アプリケーションプログラムの停止処理、一定の機能に制限を加えた状態での処理、又は前記認証条件を満たすための生体認証を要求するメッセージを表示するための処理を実行すること
を特徴とするコンピュータの制御方法。
【請求項２】
生体情報を記憶することが可能な外部接続機器をコンピュータに接続して、前記コンピュータの動作を制御するコンピュータの制御方法であって、
前記外部接続機器には、少なくとも前記コンピュータでの認証に用いられる複数のユーザの生体情報と、一のユーザに前記コンピュータに所定のアプリケーションプログラムを実行させるための条件として前記ユーザの認証結果又は複数のユーザについての認証結果の組合せを指定した認証条件が記憶されていて、
前記コンピュータが、前記コンピュータに格納されたアプリケーションプログラムの起動を受け付けるステップと、
前記コンピュータが、前記外部接続機器に記憶された複数のユーザの生体情報と、前記複数のユーザから読み取った生体情報の照合結果を特定するステップと、
前記コンピュータが、前記外部接続機器に記憶された認証条件を読み出して、前記認証条件から前記アプリケーションプログラムについて設定された認証条件を特定するステップと、
前記コンピュータが、前記照合結果が前記アプリケーションプログラムについて設定された認証条件に合致するかを判定するステップと、を有していて、
前記認証条件に合致するかを判定するステップにおいて、前記照合結果が前記アプリケーションプログラムについて設定された認証条件に合致する場合には、
前記コンピュータが、前記アプリケーションプログラムの起動を行ったユーザに対して、パスワードの入力を要求するステップと、
前記コンピュータが、前記ユーザの入力したパスワードを受け付けるステップと、
前記コンピュータが、前記パスワードが、前記コンピュータ又は前記外部接続機器に記憶された前記ユーザについて指定されたパスワードと一致するかを判定するステップと、
前記コンピュータが、前記パスワードを受け付けるステップで受け付けたパスワードが前記ユーザについて指定されたパスワードと一致する場合に、前記アプリケーションプログラムによる通常処理を実行するステップと、を実行し、
前記認証条件に合致するかを判定するステップにおいて、前記照合結果が前記アプリケーションプログラムについて設定された認証条件に合致しない場合、又は前記パスワードを受け付けるステップで受け付けたパスワードが前記ユーザについて指定されたパスワードと一致しない場合には、前記コンピュータは、前記アプリケーションプログラムの停止処理、一定の機能に制限を加えた状態での処理、又は前記認証条件を満たすための生体認証を要求するメッセージを表示するための処理を実行すること
を特徴とするコンピュータの制御方法。
【請求項３】
生体情報を記憶することが可能な外部接続機器をコンピュータに接続して、前記コンピュータの動作を制御するコンピュータの制御方法であって、
前記外部接続機器には、少なくとも前記コンピュータでの認証に用いられる複数のユーザの生体情報と、前記複数のユーザの各々について設定されたパスワードと、一のユーザに前記コンピュータに所定の動作を実行させるための条件として前記ユーザの認証結果又は複数のユーザについての認証結果の組合せを指定した認証条件が記憶されていて、
前記コンピュータが、特定ファイルの書込又は読出、特定アプリケーションの書込又は読出の少なくとも一つを含む動作の要求を受け付けるステップと、
前記コンピュータが、前記外部接続機器に記憶された複数のユーザの生体情報と、前記複数のユーザから読み取った生体情報の照合結果と、前記外部接続機器に記憶された複数のユーザの各々のパスワードと、前記複数のユーザの各々が入力したパスワードの照合結果を特定するステップと、
前記コンピュータが、前記外部接続機器に記憶された認証条件を読み出して、前記認証条件から前記動作について設定された認証条件を特定するステップと、
前記コンピュータが、前記生体情報の照合結果と前記パスワードの照合結果が前記動作について設定された認証条件に合致するかを判定するステップと、を有していて、
前記生体情報の照合結果と前記パスワードの照合結果が前記動作について設定された認証条件に合致する場合には、前記コンピュータは、前記動作にかかる通常処理を実行し、
前記生体情報の照合結果と前記パスワードの照合結果の少なくとも一つが前記動作について設定された認証条件に合致しない場合には、前記コンピュータは、前記動作の停止処理、一定の機能に制限を加えた状態での処理、又は前記認証条件を満たすための生体認証を要求するメッセージを表示するための処理を実行すること
を特徴とするコンピュータの制御方法。
【請求項４】
生体情報を記憶することが可能な外部接続機器をコンピュータに接続して、前記コンピュータの動作を制御するコンピュータの制御方法であって、
前記外部接続機器には、少なくとも前記コンピュータでの認証に用いられる複数のユーザの生体情報と、一のユーザに前記コンピュータに所定の動作を実行させるための条件として前記ユーザの認証結果又は複数のユーザについての認証結果の組合せを指定した認証条件が記憶されていて、
前記コンピュータが、特定ファイルの書込又は読出、特定アプリケーションの書込又は読出の少なくとも一つを含む動作の要求を受け付けるステップと、
前記コンピュータが、前記外部接続機器に記憶された複数のユーザの生体情報と、前記複数のユーザから読み取った生体情報の照合結果を特定するステップと、
前記コンピュータが、前記外部接続機器に記憶された認証条件を読み出して、前記認証条件から前記動作について設定された認証条件を特定するステップと、
前記コンピュータが、前記照合結果が前記動作について設定された認証条件に合致するかを判定するステップと、を有していて、
前記照合結果が前記動作について設定された認証条件に合致する場合には、
前記コンピュータが、前記動作の要求を行ったユーザに対して、パスワードの入力を要求するステップと、
前記コンピュータが、前記ユーザの入力したパスワードを受け付けるステップと、
前記コンピュータが、前記パスワードが、前記コンピュータ又は前記外部接続機器に記憶された前記ユーザについて指定されたパスワードと一致するかを判定するステップと、
前記コンピュータが、前記パスワードを受け付けるステップで受け付けたパスワードが前記ユーザについて指定されたパスワードと一致する場合に、前記動作にかかる通常処理を実行するステップと、を実行し、
前記認証条件に合致するかを判定するステップにおいて、前記照合結果が前記動作について設定された認証条件に合致しない場合、又は前記パスワードを受け付けるステップで受け付けたパスワードが前記ユーザについて指定されたパスワードと一致しない場合には、前記コンピュータは、前記動作の停止処理、一定の機能に制限を加えた状態での処理、又は前記認証条件を満たすための生体認証を要求するメッセージを表示するための処理を実行すること
を特徴とするコンピュータの制御方法。
【請求項５】
生体情報を記憶することが可能な外部接続機器と、前記外部接続機器を接続したコンピュータからなるコンピュータの制御システムであって、
前記外部接続機器には、少なくとも前記コンピュータでの認証に用いられる複数のユーザの生体情報と、前記複数のユーザの各々について設定されたパスワードと、一のユーザに前記コンピュータに所定のアプリケーションプログラムを実行させるための条件として前記ユーザの認証結果又は複数のユーザについての認証結果の組合せを指定した認証条件を記憶する認証情報記憶手段が備えられ、
前記コンピュータには、
前記コンピュータに格納されたアプリケーションプログラムの起動を受け付けるアプリケーション起動受付手段と、
前記外部接続機器に記憶された複数のユーザの生体情報と、前記複数のユーザから読み取った生体情報の照合結果と、前記外部接続機器に記憶された複数のユーザの各々のパスワードと、前記複数のユーザの各々が入力したパスワードの照合結果を特定する生体情報特定手段と、
前記外部接続機器に記憶された認証条件を読み出して、前記認証条件から前記アプリケーションプログラムについて設定された認証条件を特定する認証条件特定手段と、
前記生体情報の照合結果と前記パスワードの照合結果が前記アプリケーションプログラムについて設定された認証条件に合致するかを判定する認証条件判定手段と、が備えられていて、
前記生体情報の照合結果と前記パスワードの照合結果が前記アプリケーションプログラムについて設定された認証条件に合致する場合には、前記コンピュータは、前記アプリケーションプログラムによる通常処理を実行し、
前記生体情報の照合結果と前記パスワードの照合結果の少なくとも一つが前記アプリケーションプログラムについて設定された認証条件に合致しない場合には、前記コンピュータは、前記アプリケーションプログラムの停止処理、一定の機能に制限を加えた状態での処理、又は前記認証条件を満たすための生体認証を要求するメッセージを表示するための処理を実行すること
を特徴とするコンピュータの制御システム。
【請求項６】
生体情報を記憶することが可能な外部接続機器と、前記外部接続機器を接続したコンピュータからなるコンピュータの制御システムであって、
前記外部接続機器には、少なくとも前記コンピュータでの認証に用いられる複数のユーザの生体情報と、一のユーザに前記コンピュータに所定のアプリケーションプログラムを実行させるための条件として前記ユーザの認証結果又は複数のユーザについての認証結果の組合せを指定した認証条件を記憶する認証情報記憶手段が備えられ、
前記コンピュータには、
前記コンピュータに格納されたアプリケーションプログラムの起動を受け付けるアプリケーション起動受付手段と、
前記外部接続機器に記憶された複数のユーザの生体情報と、前記複数のユーザから読み取った生体情報の照合結果を特定する生体情報特定手段と、
前記外部接続機器に記憶された認証条件を読み出して、前記認証条件から前記アプリケーションプログラムについて設定された認証条件を特定する認証条件特定手段と、
前記コンピュータが、前記照合結果が前記アプリケーションプログラムについて設定された認証条件に合致するかを判定する認証条件判定手段と、
前記認証条件判定手段において前記照合結果が前記アプリケーションプログラムについて設定された認証条件に合致する場合に、前記アプリケーションプログラムの起動を行ったユーザに対して、パスワードの入力を要求するパスワード要求手段と、
前記ユーザの入力したパスワードを受け付けるパスワード受付手段と、
前記パスワード受付手段の受け付けたパスワードが、前記コンピュータ又は前記外部接続機器に記憶された前記ユーザについて指定されたパスワードと一致するかを判定するパスワード判定手段と、が備えられていて、
前記パスワード判定手段においてパスワードが一致する場合には、前記コンピュータは、前記アプリケーションプログラムによる通常処理を実行し、
前記認証条件判定手段において前記照合結果が前記アプリケーションプログラムについて設定された認証条件に合致しない場合、又は前記パスワード判定手段においてパスワードが一致しない場合には、前記コンピュータは、前記アプリケーションプログラムの停止処理、一定の機能に制限を加えた状態での処理、又は前記認証条件を満たすための生体認証を要求するメッセージを表示するための処理を実行すること
を特徴とするコンピュータの制御システム。
【請求項７】
生体情報を記憶することが可能な外部接続機器と、前記外部接続機器を接続したコンピュータからなるコンピュータの制御システムであって、
前記外部接続機器には、少なくとも前記コンピュータでの認証に用いられる複数のユーザの生体情報と、前記複数のユーザの各々について設定されたパスワードと、一のユーザに前記コンピュータに所定の動作を実行させるための条件として前記ユーザの認証結果又は複数のユーザについての認証結果の組合せを指定した認証条件を記憶する認証情報記憶手段が備えられ、
前記コンピュータには、
特定ファイルの書込又は読出、特定アプリケーションの書込又は読出の少なくとも一つを含む動作の要求を受け付ける動作要求受付手段と、
前記外部接続機器に記憶された複数のユーザの生体情報と、前記複数のユーザから読み取った生体情報の照合結果と、前記外部接続機器に記憶された複数のユーザの各々のパスワードと、前記複数のユーザの各々が入力したパスワードの照合結果を特定する生体情報特定手段と、
前記外部接続機器に記憶された認証条件を読み出して、前記認証条件から前記動作について設定された認証条件を特定する認証条件特定手段と、
前記生体情報の照合結果と前記パスワードの照合結果が前記動作について設定された認証条件に合致するかを判定する認証条件判定手段と、が備えられていて、
前記生体情報の照合結果と前記パスワードの照合結果が前記動作について設定された認証条件に合致する場合には、前記コンピュータは、前記動作にかかる通常処理を実行し、
前記生体情報の照合結果と前記パスワードの照合結果の少なくとも一つが前記動作について設定された認証条件に合致しない場合には、前記コンピュータは、前記動作の停止処理、一定の機能に制限を加えた状態での処理、又は前記認証条件を満たすための生体認証を要求するメッセージを表示するための処理を実行すること
を特徴とするコンピュータの制御システム。
【請求項８】
生体情報を記憶することが可能な外部接続機器と、前記外部接続機器を接続したコンピュータからなるコンピュータの制御システムであって、
前記外部接続機器には、少なくとも前記コンピュータでの認証に用いられる複数のユーザの生体情報と、一のユーザに前記コンピュータに所定の動作を実行させるための条件として前記ユーザの認証結果又は複数のユーザについての認証結果の組合せを指定した認証条件を記憶する認証情報記憶手段が備えられ、
前記コンピュータには、
特定ファイルの書込又は読出、特定アプリケーションの書込又は読出の少なくとも一つを含む動作の要求を受け付ける動作要求受付手段と、
前記外部接続機器に記憶された複数のユーザの生体情報と、前記複数のユーザから読み取った生体情報の照合結果を特定する生体情報特定手段と、
前記外部接続機器に記憶された認証条件を読み出して、前記認証条件から前記動作について設定された認証条件を特定する認証条件特定手段と、
前記照合結果が前記動作について設定された認証条件に合致するかを判定する認証条件判定手段と、
前記認証条件判定手段において前記照合結果が前記動作について設定された認証条件に合致する場合に、前記動作の要求を行ったユーザに対して、パスワードの入力を要求するパスワード要求手段と、
前記ユーザの入力したパスワードを受け付けるパスワード受付手段と、
前記パスワード受付手段の受け付けたパスワードが、前記コンピュータ又は前記外部接続機器に記憶された前記ユーザについて指定されたパスワードと一致するかを判定するパスワード判定手段と、が備えられていて、
前記パスワード判定手段においてパスワードが一致する場合には、前記コンピュータは、前記動作にかかる通常処理を実行し、
前記認証条件判定手段において前記照合結果が前記動作について設定された認証条件に合致しない場合、又は前記パスワード判定手段においてパスワードが一致しない場合には、前記コンピュータは、前記動作の停止処理、一定の機能に制限を加えた状態での処理、又は前記認証条件を満たすための生体認証を要求するメッセージを表示するための処理を実行すること
を特徴とするコンピュータの制御システム。